(57)【要約】【課題】点検作業に際して、点検者が乗りかごを利用して安全にピットに出入りできるようにする。【解決手段】本発明の実施形態によるエレベータ昇降路最下部に設けられたピットに点検作業員が乗場から出入りするための方法では、乗りかご１２が備える出入口と対向する位置にあるピット壁面と、ピット２２内に下降した乗りかご１２の側面と、の間に、少なくとも点検作業員の身体を収容可能な作業スペース３２を確保し、点検作業員が乗場から乗りかご１２に乗った後、乗りかご１２をピット２２内に降下させ、所定の高さで乗りかご１２を停止した後、点検作業員は乗りかご１２の出入口から作業スペース３２内に降り立ち、点検作業終了後は、点検作業員は、作業スペース内から乗りかご１２に乗り込み、乗りかご１２に乗って乗場に戻る。【選択図】図１
2017100845.tif 000002
【特許請求の範囲】
【請求項１】
エレベータ昇降路最下部に設けられたピットに点検作業員が乗場から出入りするための方法であって、
乗りかごが備える出入口と対向する位置にあるピット壁面と、前記ピット内に下降した前記乗りかごの側面と、の間に、少なくとも点検作業員の身体を収容可能な作業スペースを確保し、
点検作業員が前記乗場から乗りかごに乗った後、前記乗りかごを前記ピット内に降下させ、所定の高さで乗りかごを停止した後、前記点検作業員は前記乗りかごの出入口から作業スペース内に降り立ち、
点検作業終了後は、前記点検作業員は、前記作業スペース内から乗りかごに乗り込み、当該乗りかごに乗って前記乗場に戻ることを特徴とするエレベータのピットへの出入り方法。
【請求項２】
通常運転時に前記乗りかごが最下階の乗場での着床位置から下に移動しないように制限する下降制限手段を有するエレベータの場合には、ピット点検運転時には、前記下降制限手段を無効にして前記乗りかごをピット内に降下させることを特徴とする請求項１に記載のエレベータのピットへの出入り方法。
【請求項３】
ピット内での乗りかごの下降限界位置を規制する第２の下降制限手段をさらに有するエレベータの場合には、前記ピット内での前記乗りかごの停止位置は、前記下降限界位置であることを特徴とする請求項２に記載のエレベータのピットへの出入り方法。
【請求項４】
前記下降限界位置は、前記乗りかごがピット床面に設置されたバッファに接触せず、かつ前記乗りかごに取り付けらけたエプロンの下端が前記ピット床面に接触しない位置であることを特徴とする請求項３に記載のエレベータのピットへの出入り方法。
【請求項５】
前記乗りかごが、前記下降限界位置に自動停止すると、前記作業スペース側に面した方のかごドアが手動または自動で開閉されることを特徴とする請求項４に記載のエレベータのピットへの出入り方法。
【請求項６】
エレベータ昇降路の最下部に設けられたピットに、点検作業員が乗りかごを利用して出入りできるようにするピット構造であって、
前記乗りかごが備える出入口と対向するピット壁面と、前記ピット内に下降した前記乗りかごの側面との間に、少なくとも点検作業員の身体を収容可能なスペースが確保された、ピットの奥行きを拡大する作業スペースを有することを特徴とするエレベータのピット構造。
【発明の詳細な説明】
【技術分野】
【０００１】
本発明の実施形態は、エレベータのピットでの点検に際しての、ピットへの出入り方法に関する。
【背景技術】
【０００２】
エレベータ昇降路の最下部はピットと呼ばれ、このピットには、緩衝器をはじめとして各種の機器が設置されている。ピットで点検・保守作業を行う場合には、点検作業員は最下階の乗場から梯子を利用してピットに降りて、ピットに設置されている各種機器の点検・保守作業を行っている。作業員は、ピットでの点検作業が終わると、梯子を登って、乗場に戻ることになる。
【０００３】
最下階からピットの床までは、数メートルの高さであり、梯子を使った昇り降りには、危険が伴う。一般には、安全帯フックがないことが多いため、点検者は、安全帯を着用せずに乗場から梯子に乗り移っているのが現状である。
【０００４】
ところで、エレベータには、低昇降行程エレベータといわれるエレベータがある。この種のエレベータは、例えば、最下階の乗場と、その上階の乗場の間の昇降行程が通常よりも短くなっているようなエレベータである。  
従来、低昇降行程エレベータのピットでの点検作業を実施する場合、乗りかごを最下階の上の階まで移動させてから、点検者は、最下階から梯子を使ってピットに降りることになる。
【０００５】
乗りかごには、かご出入口の床部からは下方に延びるようにエプロンと呼ばれるプレートが取り付けられている。停電や何らかの異常が発生した場合、乗りかごの停止位置が正規の位置よりも大きく上方にずれてしまうことがある。この場合、乗りかごの床部と乗場床部との間には、大きな隙間が開いてしまい、エレベータ利用者がこの隙間から昇降路に転落する虞がある。エプロンは、かかる転落事故を未然に防止するために、乗りかごの床部と乗場床部との間にできる隙間を塞ぐためのプレートである（特許文献１参照）。
【０００６】
ところが、低昇降行程エレベータでのピット点検の場合、乗りかごが上の階に移動しても、行程が短いため、最下階の乗場出入口までエプロンが延在して、出入口を塞いでしまうことがある。従来は、ピットに出入りできるように、点検作業に先立って、乗りかごからエプロンを取り外さなければならない場合があった。
【先行技術文献】
【特許文献】
【０００７】
【特許文献１】特開２００５−１４５６１０号公報
【発明の開示】
【発明が解決しようとする課題】
【０００８】
上記のような低昇降行程のエレベータでは、エプロン取り外しの作業は、狭い作業スペースの中で取り行われるため、安全性を確保しながらの非常に手間のかかる作業であった。
【０００９】
しかも、エプロンを取り外した後は、乗場出入口の狭いスペースから身を乗り出すようにして、梯子を使ってピットに出入りしなければならないが、このとき乗場から梯子に移るとき、あるいは梯子から乗場の移るときに無理な姿勢を強いられ、誤って足を踏み外してピットに転落する虞があった。
【００１０】
本発明は、前記従来技術の有する問題点に鑑みなされたものであって、点検者が乗りかごを利用して安全にピットに出入りできるようにするエレベータのピットへの出入り方法を提供することを目的としている。
【課題を解決するための手段】
【００１１】
前記の目的を達成するために、本発明の実施形態によるピットへの出入り方法は、エレベータ昇降路最下部に設けられたピットに点検作業員が乗場から出入りするための方法であって、乗りかごが備える出入口と対向する位置にあるピット壁面と、前記ピット内に下降した前記乗りかごの側面と、の間に、少なくとも点検作業員の身体を収容可能な作業スペースを確保し、点検作業員が前記乗場から乗りかごに乗った後、前記乗りかごを前記ピット内に降下させ、所定の高さで乗りかごを停止した後、前記点検作業員は前記乗りかごの出入口から作業スペース内に降り立ち、点検作業終了後は、前記点検作業員は、前記作業スペース内から乗りかごに乗り込み、当該乗りかごに乗って前記乗場に戻ることを特徴とするものである。
【００１２】
また、本発明の実施形態によるピット構造は、エレベータ昇降路の最下部に設けられたピットに、点検作業員が乗りかごを利用して出入りできるようにするピット構造であって、前記乗りかごが備える出入口と対向するピット壁面と、前記ピット内に下降した前記乗りかごの側面との間に、少なくとも点検作業員の身体を収容可能なスペースが確保された、ピット空間の奥行きを拡大する作業スペースを有することを特徴とするものである。
【図面の簡単な説明】
【００１３】
【図１】本発明によるエレベータのピットへの出入り方法が適用されるエレベータの昇降路を示す断面図である。
【図２】本発明の第１実施形態によるピットへの出入り方法を説明する昇降路の断面図である。
【図３】本発明の第２実施形態によるエレベータのピットへの出入り方法が適用されるエレベータの昇降路を示す断面図である。
【図４】本発明の第１実施形態によるピットへの出入り方法を説明する昇降路の断面図である。
【発明を実施するための最良の形態】
【００１４】
以下、本発明によるエレベータのピットへの出入り方法の一実施形態について、添付の図面を参照しながら説明する。  
（第１実施形態）
図１は、本発明に係るピットへの出入り方法が適用される低昇降行程エレベータの昇降路を示す図である。図１において、参照番号１０は昇降路を示す。参照番号１２は乗りかごを示している。
【００１５】
この低昇降行程エレベータでは、最下階乗場１３と、その上の上階乗場１４の少なくとも２つの乗場があるが、最下階乗場１３と上階乗場１４の間隔が昇降行程である。この昇降行程は、通常のエレベータの停止階間隔に比べると、かなり短くなっている。具体的には、図１に示されるように、乗りかご１２が上階乗場１４に着床した状態では、乗りかご１２に取り付けられているエプロン２８、２９（後述する）が最下階乗場１３の出入口を塞ぐくらいに短い昇降行程である。
【００１６】
また、このエレベータは、出入口が２方向にある、いわゆる２方向エレベータである。最下階乗場１３の出入口と上階乗場１４の出入口とは、昇降路１０を間に互いに向かい合う壁面に開口するようになっている。最下階乗場１３の出入口には、ホールシル２４を介してホールドア１５が設けられ、上階乗場１４の出入口にはホールシル２５を介してホールドア１６が設けられている。乗りかご１２には、対向する側面にそれぞれかごドア１７、１８が設けられている。
【００１７】
昇降路１０の壁には、フェッシャープレート１９、２０、２６が設けられている。これらのフェッシャープレート１９、２０、２６は、乗りかご１２が乗場の着床位置以外の位置で非常停止したような場合に、乗りかご１２のカーシル２１、２３と壁面との間の隙間を埋めるために設置されているプレートである。
【００１８】
本実施形態では、乗りかご１２は最下階乗場１３からさらに下方に下降するようになっているので、昇降路１０の下部にあるピット２２内でも、最下階乗場１３のホールシル２４から下方にフェッシャープレート２０が垂設されている。
【００１９】
乗りかご１２のかご床部には、カーシル２１、２３のある床部から下方に延びるようにそれぞれエプロン２８、２９が取り付けられている。このエプロン２８、２９は、乗りかご１２の床部と乗場出入口との間にできる隙間を塞ぎ、乗場からの転落事故を未然に防止するためのプレートである。
【００２０】
次に、図１に示されるように、ピット２２には、本来のピットの空間の奥行きを拡大させるようにして、以下のような作業スペースが形成されている。  
昇降路１０が従来の一般的な構造であれば、上階乗場１４がある方の壁面３０は、破線で示されるように、ピット２２の床まで連続している。
【００２１】
これに対して、本実施形態の昇降路１０では、かごドア１８と向き合う側の壁面３０には、ピット２２の奥行きを拡げる段差面３１が設けられ、これによって、拡大作業スペース３２が形成されている。この拡大作業スペース３２の場合、奥行き方向の幅は、例えば、０．５〜１メートル程度で、点検員一人が楽に入れる程度の広がりをもつ空間になっている。なお、拡大作業空間３２では、垂直な壁面に近づけて、エレベータの制御盤３４が配置されている。
【００２２】
次に、以上のようなピット構造を有する昇降路１０において、ピット点検作業に際して、点検作業員が乗りかご１２に乗ってピット２２に出入りする手順について説明する。  
ピットの点検は、最低でも２人の点検作業員によって実施される。
【００２３】
一人は、乗りかご１２の上に乗り、かご上にある図示しない点検スイッチが使って、乗りかご１２の手動による点検運転を担当し、もう一人が、ピット２２に降りるために、最下階乗場１３あるいは上階乗場１４から乗りかご１２の中に乗り込むことになる。
【００２４】
次に、図２に示されるように、乗りかご１２は、下降できる限界まで下降する。ここでいう下降限界とは、例えば、乗りかご１２がバッファ３３に衝突せず、かつエプロン２８、２９の下端がピット２２の床面に届かないような直前の位置である。
【００２５】
乗りかご１２を下降限界位置で停止させてから、点検作業員が手動操作でかごドア１８を開けると、かご出入口の前は、拡大作業スペース３２になっている。そして、下降限界位置の高さであれば、点検作業員は、梯子などを使わなくても、安全にピット２２の床に降りることができる。
【００２６】
ピット２２内に設置された、バッファ３３、制御盤３４、地震感知器、ガバナシーブなどの各種機器、設備、配線等を点検する場合、乗りかご１２がそのまま下降限界位置に停止していると、乗りかご１２が邪魔になって、点検作業用のスペースを確保することができない。
【００２７】
そこで、乗りかご１２を、図１に示すように、所定の高さ、例えば、上階乗場１４での着床位置まで上昇させる。これによって、点検作業員がエプロン２８、２９に頭をぶつけることなく、安全に点検作業を行えるスペースを確保することができる。以後、ピット内の点検作業員は、規定の点検作業を実施する。
【００２８】
ピット２２内での点検が終わると、点検作業員は、一旦、拡大作業スペース３２に退避し、かご上の点検作業員と連絡を取りながら、乗りかご１２が下限限界位置まで降りてくるまで待機することになる。このとき、拡大作業スペース３２に退避できるので、乗りかご１２が下がってきても安全を確保することができる。
【００２９】
乗りかごが下がって停止した後、点検作業員は、かごドア１８を開けて、かご室内に乗ることができる。その後、乗りかご１２は上昇して、最下階乗場１３に着床する。点検作業員は、かごドア１７を開けて下階乗場１３に出ることができる。
【００３０】
以上のように本実施形態によれば、エプロン２８、２９を取り外す必要がなくなり、点検作業員は、乗りかご１２に乗り込んで、ピット２２に安全に降りることが可能になり、点検終了後は、再び乗りかご１２に乗り込んで、ピット２２から乗場に戻ることができる。
【００３１】
（第２実施形態）
次に、本発明の第２実施形態によるエレベータのピットへの出入り方法について、図３、図４を参照して説明する。なお、第１実施形態の図１と同一の参照番号は同一の構成要素を示し、その詳細な説明は、省略する。  
この第２実施形態は、エレベータの通常運転時に乗りかご１２がピット２２内に進入しないように、乗りかご１２の下降を制限する手段が設けられている昇降路に適用される実施の形態である。
【００３２】
エレベータの通常運転では、最下階乗場１３での着床位置から下には、乗りかご１２は下降しない。これを保証するために、乗りかご１２には所定の位置にリミットスイッチ４２が配置され、最下階の乗場１３の出入口にはリミットスイッチ４２を作動されるドグ４３が配置されている。このリミットスイッチ４２とドグ４３は第１の下降制限手段を構成している。
【００３３】
この第２実施形態でも、点検作業のためにピット２２に出入りする場合に、従来のように梯子を使わずに、乗りかご１２を利用するので、ピット２２内の点検作業時には、点検運転によって乗りかご１２を最下階乗場１３での着床位置よりさらに下に下降させる必要がある。
【００３４】
そこで、乗りかご１２がピット２２内に下降したときに、乗りかご１４の下降限界を規制するリミットスイッチ４４がリミットスイッチ４２の下方に配置されている。このリミットスイッチ４４とドグ４５は第２の下降制限手段を構成している。ここでいう下降限界とは、好ましくは、乗りかご１２がバッファ４０に衝突しない限界であって、かつエプロン２８、２９の下端がピット２２の床面に届かない限界の位置である。
【００３５】
次に、以上のような下降制限手段が設けられた昇降路１０において、ピット点検作業に際して、点検作業員が乗りかご１２に乗ってピット２２に出入りする手順について説明する。  
図３において、点検作業員は、ピット２２に降りるために、最下階乗場１３から乗りかご１２の中に乗り込んだとする。
【００３６】
乗りかご１２が最下階乗場１３に着床しているときには、第１下降制限手段のリミットスイッチ４２がオンになっており、通常運転であれば、乗りかご１２は、ピット２２内に下降することができない。
【００３７】
本実施の形態では、エレベータの運転モードが、手動運転によるピット点検運転に切り換わると、第１下降制限手段のリミットスイッチ４２をエレベータの制御装置が無効化するようになっており、このため、乗りかご１２をピット２２内で下降させることが可能になる。
【００３８】
次に、図４に示されるように、乗りかご１２は、第２下降制限手段のリミットスイッチ４４によって規定される下降限界まで下降する。  
乗りかご１２が下降限界位置に到ると、第２下降制限手段のリミットスイッチ４４がドグ４５によって作動し、乗りかご１２はこの位置に自動的に停止する。
【００３９】
この下降限界位置がリミットスイッチ４４によって規定されているため、エプロン２８、２９の下端がピット２２の床に衝突したり、乗りかご１２の底がバッファ４０に衝突するのを確実に防止することができる。
【００４０】
このとき乗りかご１２の拡大作業スペース３２に面した方のかごドア１８は、乗場のドアと連結されていないため、手動操作で開閉可能になっている。
【００４１】
点検作業員が手動操作でかごドア１８を開けると、かご出入口の前は、拡大作業スペース３２になっている。そして、下降限界位置の高さであれば、点検作業員は、梯子などを使わなくても、拡大作業スペース３２を利用して安全にピット２２の床に降りることができる。
【００４２】
次いで、乗りかご１２を、所定の高さ、例えば、上階乗場１４での着床位置まで上昇させ、安全に点検作業を行えるスペースを確保する。以後、ピット内の点検作業員は、規定の点検作業を実施する。
【００４３】
ピット２２内での点検が終わると、点検作業員は、一旦、拡大作業スペース３２に退避し、かご上の点検作業員と連絡を取りながら、乗りかご１２が下限限界位置まで降りてくるまで待機することになる。このとき、拡大作業スペース３２に退避できるので、乗りかご１２が下がってきても安全を確保することができる。
【００４４】
乗りかご１２が下がって停止した後、点検作業員は、かごドア１８を開けて、かご室内に乗ることができる。その後、乗りかご１２は上昇して、下階乗場１３に着床する。点検作業員は、かごドア１７を開けて下階乗場１３に出ることができる。
【００４５】
以上のような第２実施形態によれば、第１実施形態と同様にエプロン２８、２９を取り外す必要がなくなり、点検作業員は、乗りかご１２に乗り込んで、ピット２２に安全に降りることが可能になる。しかも、第１下降制限手段と第２下降制限手段を利用して、安全に乗り下りに適正位置に乗りかご１２を自動的に停止させることができる。
【００４６】
なお、乗りかご１２がピット２２内で停止した時は、自動的にかごドア１８が開閉されるようにしてもよい。
【００４７】
以上、本発明に係るエレベータのピットへの出入り方法について、低昇降行程エレベータに適用される好適な実施形態を挙げて説明したが、本発明は、低昇降行程ではない通常のエレベータにも適用可能であり、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４８】
１０…昇降路、１２…乗りかご、１３…最下階乗場、１４…上階乗場、１５…ホールドア、１６…ホールドア、１７…かごドア、１８…かごドア、１９…フェッシャープレート、２０…フェッシャープレート、２８…エプロン、２９…エプロン、３１…段差面、３２…拡大作業スペース、３３…バッファ、３４…制御盤、４２…リミットスイッチ、４４…リミットスイッチ
【図１】
2017100845.tif 000003
【図２】
2017100845.tif 000004
【図３】
2017100845.tif 000005
【図４】
2017100845.tif 000006